(57)【要約】【課題】パテなどのシール材を用いることなく、年月を経ても断熱性能を良好に維持することができる自動販売機を提供すること。【解決手段】筐体の内壁面に複数の断熱材１２，１３，１９，２０を配設した自動販売機において、筐体の内壁面にシール部材１４，１５，１６，１７を貼設する一方、断熱材１９，２０をシール部材１４，１５，１６，１７と面接触する態様で配設したので、設置環境または経年変化により断熱材が収縮しても、断熱材１９，２０がシール部材１４，１５，１６，１７と面接触を維持し、自動販売機の断熱性能を良好に維持する。【選択図】        図１
2005085035.tif 000002
【特許請求の範囲】
【請求項１】
筐体の内壁面に複数の断熱材を配設した自動販売機において、
前記筐体の内壁面にシール部材を貼設する一方、前記断熱材を前記シール部材と面接触する態様で配設したことを特徴とする自動販売機。
【請求項２】
前記シール部材が隣り合う第１の断熱材の端部と第２の断熱材の端部とを被覆することを特徴とする請求項１に記載の自動販売機。
【請求項３】
筐体の内壁面に複数の断熱材を配設した自動販売機において、
隣り合う第１の断熱材と第２の断熱材との少なくとも一方の断熱材から断熱シートを延伸し、
前記断熱シートが他方の断熱材を被覆することを特徴とする自動販売機。
【発明の詳細な説明】
【技術分野】
【０００１】
本発明は、自動販売機に関し、特に断熱性能を良好に維持する自動販売機に関するものである。
【背景技術】
【０００２】
パテなどのシール材を用いることなく、筐体の内側面に断熱材を配設し、断熱性能を良好に維持する自動販売機が提案されている。この自動販売機は、天板と、左右両側壁と、背板と、底板とから構成した筐体の内壁面に、接合面に三角形状の切り欠き部を形成した断熱材を配設する一方、その三角形状の切り欠き部を三角形状の軟質シール部材で塞ぐことにより、断熱性能を良好に維持するものである（特許文献１参照）。
【０００３】
【特許文献１】特開２００１−３５７４４１号公報
【発明の開示】
【発明が解決しようとする課題】
【０００４】
しかしながら、上記した自動販売機は、設置当初は三角形状の軟質シール部材によって、断熱材の気密性が保証されるが、断熱材は年月を経ると収縮するので、断熱材相互の隙間は除々に拡がり、年月を経ると断熱性能を良好に維持できない。
【０００５】
本発明は、上記実情に鑑みて、パテなどのシール材を用いることなく、年月を経ても断熱性能を良好に維持することができる自動販売機を提供することを目的とする。
【課題を解決するための手段】
【０００６】
上記の目的を達成するために、本発明の請求項１に係る自動販売機は、筐体の内壁面に複数の断熱材を配設した自動販売機において、前記筐体の内壁面にシール部材を貼設する一方、前記断熱材を前記シール部材と面接触する態様で配設したことを特徴とする。
【０００７】
また、本発明の請求項２に係る自動販売機は、上記請求項１において、前記シール部材が隣り合う第１の断熱材の端部と第２の断熱材の端部とを被覆することを特徴とする。
【０００８】
また、本発明の請求項３に係る自動販売機は、筐体の内壁面に複数の断熱材を配設した自動販売機において、隣り合う第１の断熱材と第２の断熱材との少なくとも一方の断熱材から断熱シートを延伸し、前記断熱シートが他方の断熱材を被覆することを特徴とする。
【発明の効果】
【０００９】
本発明に係る自動販売機は、筐体の内壁面にシール部材を貼設する一方、断熱材をシール部材と面接触する態様で配設したので、設置環境または経年変化により断熱材が伸縮しても、断熱材とシール部材とは面接触を維持するので、気密性を良好に維持できるという効果を奏する。
【００１０】
また、本発明に係る自動販売機は、シール部材が隣り合う第１の断熱材の端部と第２の断熱材の端とを被覆するので、設置環境または経年変化により断熱材が伸縮しても自動販売機の断熱性能を良好に維持できるという効果を奏する。
【００１１】
また、本発明に係る自動販売機は、隣り合う第１の断熱材と第２の断熱材の少なくとも一方の断熱材から断熱シートを延伸し、断熱シートが他方の断熱材を被覆するので、設置環境または経年変化による断熱材の収縮を、断熱材を被覆した断熱シートが吸収し、自動販売機の断熱性能を良好に維持できるという効果を奏する。
【発明を実施するための最良の形態】
【００１２】
以下に添付図面を参照して、本発明に係る自動販売機の好適な実施例を詳細に説明する。なお、この実施例によりこの発明が限定されるものではない。
【実施例１】
【００１３】
まず、本発明に係る自動販売機の実施例１を説明する。なお、図１は、本発明に係る自動販売機の実施例１の本体キャビネットを示す斜視図、図２は、図１に示した本体キャビネットのＡ−Ａ−Ａ断面図、図３は、図１に示した本体キャビネットの分解斜視図である。
【００１４】
実施例１の自動販売機１は、本体キャビネット２と、本体キャビネット２の前面開口部を閉塞する外扉３（図２参照）とを備えている。本体キャビネット２は、外箱４を有している。外箱４は、天板５と、左右側板６と、基台７と、背板８とを組み合わせて、略直方体に形成してある。また、外箱４の内部には、底板９が配設してあり、外箱４の内部を上部域と下部域とに画成してある。外箱の上部域は販売する商品を収容する収容室１０となり、下部域は収容室１０の商品を冷却する冷却ユニット（図示せず）を配設する機械室１１となる。
【００１５】
底板９の上面には底面断熱材１２が配設してあり、天板５の内壁面には天面断熱材１３が配設してある。また、背板８の下方部には、底面断熱材１２と当接するシール部材１４が貼設してあり、背板８の上方部には、天面断熱材１３と当接するシール部材１５が貼設してある。側板６の下方部には、底面断熱材１２と当接するシール部材１６が貼設してあり、側板６の上方部には、天面断熱材１３と当接するシール部材１７とが貼設してある。これらのシール部材１４，１５，１６，１７は、直方体形状を有している。また、これらのシール部材１４，１５，１６，１７は軟質発泡体により形成してあり、硬質発泡体に比較して、容易に弾性変形する。なお、シール部材１４，１５，１６，１７は、防湿性と低熱伝導性を有することが好ましい。
【００１６】
背板８の内壁面には、背面断熱材１９が配設してある。背面断熱材１９の下縁部と上縁部とには、シール部材１４，１５よりもやや薄い断面矩形の切り欠き部１９ａ、１９ｂが形成してあり、背面断熱材１９はシール部材１４，１５の間にはめ込まれている。このため、背板８と背面断熱材１９とは僅かな間隙を有して離隔するとともに、シール部材１４、１５と背面断熱材１９とは、切り欠き部１９ａ，１９ｂにおいて、面接触している。
【００１７】
側板６の内壁面には、側面断熱材２０が配設してある。側面断熱材２０の下縁部と上縁部とには、シール部材１６、１７よりもやや小さな断面矩形の切り欠き部２０ａ，２０ｂが形成してあり、側面断熱材２０はシール部材１６，１７の間にはめ込まれている。このため、側板６と側面断熱材２０とは僅かな間隙を有して離隔するとともに、シール部材１６，１７と側面断熱材２０とは、切り欠き部２０ａ，２０ｂにおいて、面接触している。
【００１８】
なお、底面断熱材１２と、天面断熱材１３と、背面断熱材１９と、側面断熱材２０とは、発泡ウレタン樹脂等の硬質発泡体により形成してあり、その表面は、ポリエチレンシートまたはクラフト紙等の防湿材（図示せず）で被覆してある。
【００１９】
本発明の実施例１に係る自動販売機１は、底面断熱材１２と、天面断熱材１３と、背面断熱材１９と、側面断熱材２０とにより、収容室１０が囲繞され、シール部材１４，１５，１６，１７によりシールされているので、背面断熱材１９、または側面断熱材２０が経年変化により収縮しても、シール部材１４，１５と背面断熱材１９、シール部材１６，１７と側面断熱材２０とは面接触を維持するので、気密性を良好に維持できる。
【実施例２】
【００２０】
次に、本発明に係る自動販売機の実施例２を説明する。図４は、本発明に係る自動販売機の実施例２の本体キャビネットを示す図、図５は、図４に示した本体キャビネットのＢ−Ｂ−Ｂ断面図、図６は、図４に示した本体キャビネットの分解斜視図である。なお、外箱の構成については、実施例１の自動販売機と異なるところはないので、同一の符号を付して説明を省略する。
【００２１】
底板９の周縁部には、左右シール部材２１と前後シール部材２２とが貼設してある。左右シール部材２１と前後シール部材２２とは、それぞれ、直方体形状を有し、組み合わせることにより枠体形状となる。左右シール部材２１と前後シール部材２２とは、軟質発泡体により形成してあり、防湿性と低熱伝導性を有することが好ましい。
【００２２】
左右シール部材２１と前後シール部材２２の上面には、底面断熱材２３が配設してある。底面断熱材２３の周縁部には、左右シール部材２１、前後シール部材２２よりもやや薄い断面矩形の切り欠き部２３ａが形成してあり、底面断熱材２３は、左右シール部材２１、前後シール部材２２の間にはめ込まれている。このため、底板９と底面断熱材２３とは、僅かな間隙を有して離隔するとともに、各シール部材２１，２２と底面断熱材２３とは、切り欠き部２３ａにおいて、面接触している。
【００２３】
天板５の内壁面の周縁部には、左右シール部材２４と前後シール部材２５とが貼設してある。左右シール部材２４と前後シール部材２５とは、それぞれ、直方体形状を有し、組み合わせることにより枠体形状となる。左右シール部材２４と前後シール部材２５の下面には、天面断熱材２６が配設してある。天面断熱材２６の周縁部には、左右シール部材２４よりもやや薄い断面矩形の切り欠き部２６ａが形成してあり、天面断熱材２６は左右シール部材２４、前後シール部材２５の間にはめ込まれている。このため、天板５と天面断熱材２６とは僅かな間隙を有して離隔するとともに、各シール部材２４，２５と天面断熱材２６とは、切り欠き部２６ａにおいて、面接触している。
【００２４】
背板８の下方部には、底面断熱材２３と当接するシール部材２７が貼設してあり、背板の上方部には、天面断熱材２６と当接するシール部材２８が貼設してある。また、側板６の下方部には、底面断熱材２３と当接するシール部材２９が貼設してあり、側板６の上方部には、天面断熱材２６と当接するシール部材３０が貼設してある。
【００２５】
これらのシール部材２７，２８，２９，３０は、直方体形状を有している。また、これらのシール部材２７，２８，２９，３０は軟質発泡体により形成してあり、シール部材２７，２８，２９，３０は防湿性と低熱伝導性を有していることが好ましい。
【００２６】
背板８の内壁面には、背面断熱材３１が配設してある。背面断熱材３１の下縁部と上縁部とには、シール部材２７，２８よりもやや薄い断面矩形の切り欠き部３１ａ，３１ｂが形成してあり、背面断熱材３１はシール部材２７，２８の間にはめ込まれている。このため、背板８と背面断熱材３１とは僅かな間隙を有して離隔するとともに、シール部材２７，２８と背面断熱材３１とは、切り欠き部３１ａ，３１ｂにおいて、面接触している。
【００２７】
側板６の内壁面には、側面断熱材３２が配設してある。側面断熱材３２の下縁部と上縁部とには、シール部材２９よりもやや薄い断面矩形の切り欠き部３２ａ，３２ｂが形成してあり、側面断熱材３２はシール部材２９の間にはめ込まれている。このため、側板６と側面断熱材３２とは僅かな間隙を有して離隔するとともに、シール部材２９，３０と側面断熱材３２とは、切り欠き部３２ａ，３２ｂにおいて、面接触している。
【００２８】
なお、底面断熱材２３と、天面断熱材２６と、背面断熱材３１と、側面断熱材３２とは、発泡ウレタン樹脂等の硬質発泡体により形成してあり、その表面は、ポリエチレンシート又はクラフト紙等の防湿材（図示せず）で被覆してある。
【００２９】
本発明の実施例２に係る自動販売機は、底面断熱材２３と、天面断熱材２６と、背面断熱材３１と、側面断熱材３２とにより、収容室１０が囲繞され、シール部材２７，２８，２９，３０によりシールされているので、背面断熱材３１、または側面断熱材３２が経年変化により収縮しても、シール部材２７，２８と背面断熱材３１、シール部材２９，３０と側面断熱材３２が面接触を維持するので、機密性を良好に維持できる。
【００３０】
また、底面断熱材２３は、左右シール部材２１と前後シール部材２２とにより、底板９と僅かな間隙を有して離隔するので、密着した場合に比較して断熱性能が良好なものとなる。
【実施例３】
【００３１】
次に、本発明に係る自動販売機の実施例３を説明する。図７は、本発明に係る自動販売機の実施例３の本体キャビネットを示す斜視図、図８は、図７に示した本体キャビネットのＣ−Ｃ−Ｃ断面図、図９は、図７に示した本体キャビネットの分解斜視図である。なお、外箱の構造は、実施例１の自動販売機と異なるところがないので、同一の符号を付して、説明を省略する。
【００３２】
底板９と背板８との角隅部と、天板５と背板８との角隅部とには、断面Ｌ字状のシール部材４１が貼設してある。また、底板９と側板６との角隅部と、天板５と側板６との角隅部とにも、断面Ｌ字状のシール部材４２が貼設してある。これらのシール部材４１，４２は、軟質発泡体により形成してあり、防湿性と低熱伝導性を有することが好ましい。
【００３３】
底板９の上方には、シール部材４１，４２を介して底面断熱材４３が配設してある。底面断熱材４３の側縁部仕切り板側と後縁部仕切り板側とには、シール部材４１，４２よりもやや薄い断面矩形の切り欠き部４３ａが形成してあり、底面断熱材４３はシール部材４１，４２の間にはめ込まれている。このため、底板９と底面断熱材４３とは、僅かな間隙を有して離隔するとともに、シール部材４１，４２と底面断熱材４３とは、切り欠き部４３ａにおいて、面接触している。
【００３４】
天板５の内壁面には、シール部材４１，４２を介して天面断熱材４４が配設してある。天面断熱材４４は底面断熱材４３と同一形状を有しており、天面断熱材４４の側縁部天板側と後縁部天板側とには、シール部材４１，４２よりもやや薄い断面矩形の切り欠き部４４ａが形成してあり、天面断熱材４４はシール部材４１，４２の間にはめ込まれている。このため、天板５と天面断熱材４４とは、僅かな間隙を有して離隔するとともに、シール部材４１，４２と天面断熱材４４とは、切り欠き部４４ａにおいて面接触している。
【００３５】
背板８の内壁面には、シール部材４１を介して背面断熱材４５が配設してある。背面断熱材４５の上縁部背板側と下縁部背板側とには、シール部材４１よりもやや薄い断面矩形の切り欠き部４５ａが形成してあり、背面断熱材４５はシール部材４１の間にはめ込まれている。このため、背板８と背面断熱材４５とは、僅かな間隙を有して離隔するとともに、シール部材４１と背面断熱材４５とは、切り欠き部４５ａにおいて面接触している。
【００３６】
側板６の内壁面には、シール部材４２を介して側面断熱材４６が配設してある。側面断熱材４６の下縁部側板側と上縁部側板側には、シール部材４２よりもやや厚みの薄い断面矩形の切り欠き部４６ａ，４６ｂが形成してあり、側面断熱材４６はシール部材４２の間にはめ込まれている。このため、側板６と側面断熱材４６とは、僅かな間隙を有して離隔するとともに、シール部材４２と側面断熱材４６とは、切り欠き部４６ａ，４６ｂにおいて面接触している。
【００３７】
なお、底面断熱材４３と、天面断熱材４４と、背面断熱材４５と、側面断熱材４６とは、発泡ウレタン樹脂等の硬質発泡体により形成してあり、その表面は、ポリエチレンシート又はクラフト紙等の防湿材（図示せず）で被覆してある。
【００３８】
本発明の実施例３に係る自動販売機は、底面断熱材４３と、天面断熱材４４と、背面断熱材４５と、側面断熱材４６とにより、収容室１０が囲繞され、シール部材４１，４２により被覆してシールされているので、背面断熱材４５、または側面断熱材４６が経年変化により収縮しても、シール部材４１と背面断熱材４５、シール部材４２と側面断熱材４６が面接触を維持するので、機密性を良好に維持できる。
【００３９】
また、各断熱材４３，４４，４５，４６はシール部材により、外箱と僅かな間隙を有して離隔しているので、各断熱材４３，４４，４５，４６が外箱４に密着した場合に比較して断熱性能が良好なものとなる。
【００４０】
なお、実施例１〜３に係る自動販売機において、断熱材とシール部材とは、面接触するものであれば良く、断熱材の接合部とシール部材の接合部とは任意の形状が選択できる。
【実施例４】
【００４１】
次に、本発明に係る自動販売機の実施例４を説明する。図１０は、本発明に係る自動販売機の実施例４の本体キャビネットを示す正面図、図１１は、図１０に示した本体キャビネットのＤ−Ｄ断面図である。なお、外箱の構成については、実施例１の自動販売機と異なるところはないので、同一の符号を付して説明を省略する。
【００４２】
実施例４に係る自動販売機も、実施例１に係る自動販売機と同様に、底面断熱材５１と、天面断熱材５２と、背面断熱材５３と、側面断熱材５４とにより、収容室１０が囲繞されている。底面断熱材５１の仕切り板側左右側縁部と、仕切り板側後縁部とには、切り欠き部５１ａ，５１ｂが形成してあり、天面断熱材の天板側左右側縁部と、天板側後縁部とにも、切り欠き部５２ａ，５２ｂが形成してある。
【００４３】
このように形成した底面断熱材５１と天面断熱材５２とは、発泡ウレタン樹脂等の硬質発泡体により形成してあり、この外表面と内表面とは、ポリエチレンシート又はクラフト紙等の防湿材５１ｃ，５１ｄ，５２ｃ，５２ｄで被覆してある。
【００４４】
側面断熱材５４は、板状の硬質発泡体により形成してあり、側面断熱材５４の外表面と内表面とは、ポリエチレンシート又はクラフト紙等の防湿材５４ａ，５４ｂで被覆してある。外表面の防湿材５４ａは、側面断熱材５４の上縁部と下縁部とから延出し、延出した防湿材５４ａの内側は断熱材で補強され、断熱シートとして機能する。また、延出した防湿材５４ａの内側には、それぞれ、直方体形状をしたシール部５４ｃが形成してある。下縁部外表面内側に形成したシール部５４ｃは、底面断熱材５１の側縁部に形成した切り欠き部５１ａよりもやや厚く形成してあり、底面断熱材５１の側縁部に形成した切り欠き部５１ａと組み合わされて、側面断熱材５４と底面断熱材５１とをシールするとともに、底面断熱材５１を底板９から僅かに離隔させる。また、上縁部外表面内側に形成したシール部５４ｃは、天面断熱材５２の側縁部に形成した切り欠き部５２ａよりもやや厚く形成してあり、天面断熱材５２の側縁部に形成した切り欠き部５２ａと組み合わされて、側面断熱材５４と天面断熱材５２とをシールするとともに、天面断熱材５２を天板５から僅かに離隔させる。
【００４５】
背面断熱材５３も、側面断熱材５４と同様に、板状の硬質発泡体により形成してあり、背面断熱材の外表面と内表面とは、防湿材５３ａ，５３ｂで被覆してある。外表面の防湿材５３ａは、背面断熱材５３の上縁部と下縁部とから延出し、延出した防湿材５３ａの内側は断熱材で補強され、断熱シートとして機能する。また、延出した防湿材５３ａの内側には、それぞれ、直方体形状をしたシール部５３ｃが形成してある。下縁部外表面内側に形成したシール部５３ｃは、底面断熱材５１の後縁部に形成した切り欠き部５１ｂよりもやや厚く形成してあり、底面断熱材５１の後縁部に形成した切り欠き部５１ｂと組み合わされて、背面断熱材５３と底面断熱材５１とをシールするとともに、底面断熱材５１を底板９から僅かに離隔させる。また、上縁部外表面内側に形成したシール部５３ｃは、天面断熱材５２の後縁部に形成した切り欠き部５２ｂよりもやや厚く形成してあり、天面断熱材５２の後縁部に形成した切り欠き部５２ｂと組み合わされて、背面断熱材５３と天面断熱材５２とをシールするとともに、天面断熱材５２を天板５から僅かに離隔させる。
【００４６】
本発明の実施例４に係る自動販売機によれば、隣り合う側面断熱材５４と底面断熱材５１、側面断熱材５４と天面断熱材５２、背面断熱材５３と底面断熱材５１、背面断熱材５３と天面断熱材５２とをシールするので、各断熱材５１，５２，５３，５４が環境変化又は経年変化により伸縮しても断熱性能を良好に維持できる。
【００４７】
また、底面断熱材５１を底板９から僅かに離隔させ空気層を形成し、天面断熱材５２を天板５から僅かに離隔させ空気層を形成するので、底面断熱材５１を底板９と密着させた場合、天面断熱材５２を天板５と密着させた場合よりも、断熱性能を良好なものにできる。
【実施例５】
【００４８】
次に、本発明に係る自動販売機の実施例５を説明する。図１２は、本発明に係る自動販売機の実施例５の本体キャビネットを示す正面図、図１３は、図１２に示した本体キャビネットのＥ−Ｅ断面図である。なお、外箱の構造は、実施例１の自動販売機と異なるところがないので、同一の符号を付して、説明を省略する。
【００４９】
実施例５に係る自動販売機も、実施例１に係る自動販売機と同様に、底面断熱材６１と、天面断熱材６２と、背面断熱材６３と、側面断熱材６４とにより、収容室１０が囲繞されている。底面断熱材６１の内表面側左右側縁部と、内表面側後縁部とには切り欠き部６１ａ，６１ｂが形成してあり、天面断熱材６２の内表面側左右側縁部と、内表面側後縁部とには、切り欠き部６２ａ，６２ｂが形成してある。
【００５０】
このように形成した底面断熱材６１と、天面断熱材６２とは、発泡ウレタン樹脂等の硬質発泡体により形成してあり、この外表面と内表面とは、ポリエチレンシート又はクラフト紙等の防湿材６１ｃ，６１ｄ，６２ｃ，６２ｄで被覆してある。
【００５１】
側面断熱材６４は、板状の硬質発泡体により形成してあり、側面断熱材６４の外表面と内表面とは、ポリエチレンシート又はクラフト紙等の防湿材６４ａ，６４ｂで被覆してある。内表面の防湿材６４ｂは側面断熱材の上縁部と下縁部とから延出し、延出した防湿材６４ｂの内側は断熱材により補強され、断熱シートとして機能する。また、延出した防湿材６４ｂの内側には、それぞれ、板状のシール部６４ｃが形成してある。下縁部内表面内側に形成したシール部６４ｃは、底面断熱材６１の側縁部に形成した切り欠き部６１ａとほぼ同一の厚みを有し、底面断熱材６１の側縁部に形成した切り欠き部６１ａと組み合わされて、側面断熱材６４と底面断熱材６１とをシールする。また、上縁部内表面内側に形成したシール部６４ｃは、天面断熱材６２の側縁部に形成した切り欠き部６２ａとほぼ同一の厚みを有し、天面断熱材６２の側縁部に形成した切り欠き部６２ａと組み合わされて、側面断熱材６４と天面断熱材６２とをシールする。
【００５２】
背面断熱材６３も、側面断熱材６４と同様に、板状の硬質発泡体により形成してあり、背面断熱材の外表面と内表面とは、防湿材６３ａ，６３ｂで被覆してある。内表面の防湿材６３ｂは、背面断熱材６３の上縁部と下縁部とから延出し、延出した防湿材６３ｂの内側は断熱材により補強され、断熱シートとして機能する。また、延出した防湿材６３ｂの内側には、それぞれ、板状のシール部６３ｃが形成してある。下縁部内表面内側に形成したシール部６３ｃは、底面断熱材６１の後縁部に形成した切り欠き部６１ｂとほぼ同一の厚みを有し、底面断熱材６１の後縁部に形成した切り欠き部６１ｂと組み合わされて、背面断熱材６３と底面断熱材６１とをシールする。また、上縁部内表面内側に形成したシール部６３ｃは、天面断熱材６２の後縁部に形成した切り欠き部６２ｂとほぼ同一の厚みを有し、天面断熱材６２の後縁部に形成した切り欠き部６２ｂと組み合わされて、背面断熱材６３と天面断熱材６２とをシールする。
【００５３】
本発明の実施例５に係る自動販売機によれば、隣り合う側面断熱材６４と底面断熱材６１、側面断熱材６４と天面断熱材６２、背面断熱材６３と底面断熱材６１、背面断熱材６３と天面断熱材６２とをシールするので、各断熱材６１，６２，６３，６４が環境変化又は経年変化により伸縮しても断熱性能を良好に維持できる。
【実施例６】
【００５４】
次に、本発明に係る自動販売機の実施例６を説明する。図１４は、本発明に係る自動販売機の実施例６の本体キャビネットを示す正面図、図１５は、図１４に示した本体キャビネットのＦ−Ｆ断面図である。なお、外箱の構造は、実施例１の自動販売機と異なるところがないので、同一の符号を付して説明を省略する。
【００５５】
実施例６に係る自動販売機も、実施例１に係る自動販売機と同様に、底面断熱材７１と、天面断熱材７２と、背面断熱材７３と、側面断熱材７４とにより、収容室１０が囲繞されている。底面断熱材７１の仕切り板側左右側縁部と、仕切り板側後縁部とには、切り欠き部７１ａ，７１ｂが形成してあり、天面断熱材７２の天板側左右側縁部と、天板側後縁部とには、切り欠き部７２ａ，７２ｂが形成してある。
【００５６】
このように形成した底面断熱材７１と、天面断熱材７２とは、発泡ウレタン樹脂等の硬質発泡体により形成してあり、この外表面と内表面とは、ポリエチレンシート又はクラフト紙等の防湿材７１ｃ，７１ｄ，７２ｃ，７２ｄで被覆してある。
【００５７】
底面断熱材７１の内表面の防湿材７１ｄは、底面断熱材７１の左右側縁部と、後縁部とから延出し、延出した防湿材７１ｄの内側には、それぞれ板状のシール部７１ｅ、７１ｆが形成してある。また、天面断熱材７２の内表面の防湿材７２ｄは、天面断熱材７２の左右側縁部と、後縁部とから延出し、延出した防湿材７２ｄの内側は断熱材で補強され、断熱シートとして機能する。また、延出した防湿材７２ｄの内側には、それぞれ板状のシール部７２ｅ、７２ｆが形成してある。
【００５８】
側面断熱材７４の内壁面側上縁部と内壁面側下縁部とには、シール部７２ｅ，７１ｅとほぼ同一の厚みを有する切り欠き部７４ａ，７４ｂが形成してある。
【００５９】
このように形成した側面断熱材７４は、硬質発泡体により形成してあり、側面断熱材７４の外表面と内表面とは、ポリエチレンシート又はクラフト紙等の防湿材７４ｃ、７４ｄで被覆してある。外表面の防湿材７４ｃは、側面断熱材７４の上縁部と下縁部から延出し、延出した防湿材７４ｃの内側は断熱材により補強され、断熱シートとして機能する。また、延出した防湿材７４ｃの内側には、それぞれ直方体形状をしたシール部７４ｆが形成してある。下縁部外表面内側に形成したシール部７４ｆは、底面断熱材７１の仕切り板側縁部に形成した切り欠き部７１ａよりもやや厚く形成してあり、上縁部外表面内側に形成したシール部７４ｆは、天面断熱材７２の天板側縁部に形成した切り欠き部７２ａよりもやや厚く形成してある。
【００６０】
そして、側面断熱材７４の下縁部から延出した防湿材の内側に形成したシール部７４ｆは、底面断熱材７１の仕切り板側縁部に形成した切り欠き部７１ａと組み合わされ、底面断熱材７１の左右側縁部から延出した防湿材の内側に形成したシール部７１ｅは、側面断熱材７４の切り欠き部７４ｂと組み合わされる。このため、側面断熱材７４と底面断熱材７１とは防湿材７１ｄ，７４ｃによりシールされ、底面断熱材７１は底板９から僅かに離隔する。
【００６１】
また、側面断熱材７４の上縁部から延出した防湿材の内側に形成したシール部７４ｆは、天面断熱材７２の天板側左右側縁部に形成した切り欠き部７２ａと組み合わされ、天面断熱材７２の左右側縁部から延出した防湿材７２ｄの内側に形成したシール部７２ｅは、側面断熱材７４の切り欠き部７４ａと組み合わされる。このため、側面断熱材７４と天面断熱材７２とは防湿材７２ｄ，７４ｃによりシールされ、天面断熱材７２は天板５から僅かに離隔する。
【００６２】
背面断熱材７３の内壁面側上縁部と、内壁面側下縁部とには、シール部７２ｆ、７１ｆとほぼ同一の厚みを有する切り欠き部７３ａ，７３ｂが形成してある。
【００６３】
このように形成した背面断熱材７３は、硬質発泡体により形成してあり、背面断熱材の外表面と内表面とは、ポリエチレンシート又はクラフト紙等の防湿材７３ｃ，７３ｄで被覆してある。外表面の防湿材７３ｄは、背面断熱材７３の上縁部と下縁部から延出し、延出した防湿材７３ｄの内側は断熱材により補強され、断熱シートとして機能する。また、延出した防湿材７３ｄの内側には、それぞれ直方体形状をしたシール部７３ｅが形成してある。下縁部外表面内側に形成したシール部７３ｅは、底面断熱材７１の仕切り板後縁部に形成した切り欠き部７１ｂよりもやや厚く形成してあり、上縁部外表面内側に形成したシール部７３ｅは、天面断熱材７２の天板後縁部に形成した切り欠き部７２ｂよりもやや厚く形成してある。
【００６４】
そして、背面断熱材７３の下縁部から延出した防湿材７３ｃの内側に形成したシール部７３ｅは、底面断熱材７１の仕切り板側後縁部に形成した切り欠き部７１ｂと組み合わされ、底面断熱材７１の後縁部から延出した防湿材の内側に形成したシール部７１ｆは、背面断熱材７３の切り欠き部７３ｂと組み合わされる。このため、背面断熱材７３と底面断熱材７１とは防湿材７１ｄ，７３ｃによりシールされ、底面断熱材７１は底板９から僅かに離隔する。
【００６５】
また、背面断熱材７３の上縁部から延出した防湿材７３ｃの内側に形成したシール部７３ｅは、天面断熱材７２の天板側後縁部に形成した切り欠き部７２ｂと組み合わされ、天面断熱材７２の後縁部から延出した防湿材７２ｄの内側に形成したシール部７２ｆは、背面断熱材７３の切り欠き部７３ａと組み合わされる。このため、背面断熱材７３と天面断熱材７２とは防湿材７２ｄ，７３ｃによりシールされ、天面断熱材７２は天板５から僅かに離隔する。
【００６６】
本発明の実施例６に係る自動販売機によれば、隣り合う側面断熱材７４と底面断熱材７１、側面断熱材７４と天面断熱材７２、背面断熱材７３と底面断熱材７１、背面断熱材７３と天面断熱材７２とをシールするので、各断熱材７１，７２，７３，７４が環境変化又は経年変化により伸縮しても断熱性能を良好に維持できる。
【００６７】
また、底面断熱材７１を底板９から僅かに離隔させ空気層を形成し、天面断熱材７２を天板５から僅かに離隔させ空気層を形成するので、底面断熱材７１を底板９と密着させた場合、天面断熱材７２を天板５と密着させた場合よりも、断熱性能を良好なものにできる。
【００６８】
なお、実施例４〜６に係る自動販売機において、断熱材から延出した断熱シートとして機能する防湿材は、屈曲可能であって、断熱シートとして機能するものであればよく、シール部を必要とするものではなく、シール部を有するものは、隣り合う断熱材の切り欠き部の形状に合わせて、板状、断面矩形状のほか、任意の形状が選択できる。
【産業上の利用可能性】
【００６９】
以上のように、本発明に係る自動販売機は、断熱性能に優れ、特に、缶飲料商品を販売する自動販売機に適している。
【図面の簡単な説明】
【００７０】
【図１】本発明に係る自動販売機の実施例１の本体キャビネットを示す斜視図である。
【図２】図１に示した本体キャビネットのＡ−Ａ−Ａ断面図である。
【図３】図１に示した本体キャビネットの分解斜視図である。
【図４】本発明に係る自動販売機の実施例２の本体キャビネットを示す斜視図である。
【図５】図４に示した本体キャビネットのＢ−Ｂ−Ｂ断面図である。
【図６】図４に示した本体キャビネットの分解斜視図である。
【図７】本発明に係る自動販売機の実施例３の本体キャビネットを示す斜視図である。
【図８】図７に示した本体キャビネットのＣ−Ｃ−Ｃ断面図である。
【図９】図７に示した本体キャビネットの分解斜視図である。
【図１０】本発明に係る自動販売機の実施例４の本体キャビネットを示す正面図である。
【図１１】図１０に示した本体キャビネットのＤ−Ｄ断面図である。
【図１２】本発明に係る自動販売機の実施例５の本体キャビネットを示す正面図である。
【図１３】図１２に示した本体キャビネットのＥ−Ｅ断面図である。
【図１４】本発明に係る自動販売機の実施例６の本体キャビネットを示す正面図である。
【図１５】図１４に示した本体キャビネットのＦ−Ｆ断面図である。
【符号の説明】
【００７１】
１    自動販売機
２    本体キャビネット
４    外箱
５    天板
６    側板
７    基台
８    背板
９    底板
１０    収容室
１１    機械室
１２    底面断熱材
１３    天面断熱材
１４，１５，１６，１７    シール部材
１９    背面断熱材
２０    側面断熱材
２１    左右シール部材
２２    前後シール部材
２３    底面断熱材
２４    左右シール部材
２５    前後シール部材
２６    天面断熱材
２７，２８，２９，３０    シール部材
３１    背面断熱材
３２    側面断熱材
４１，４２    シール部材
４３    底面断熱材
４４    天面断熱材
４５    背面断熱材
４６    側面断熱材
５１    底面断熱材
５１ｃ，５１ｄ，５２ｃ，５２ｄ    防湿材
５２    天面断熱材
５３    背面断熱材
５３ａ，５３ｂ    防湿材
５４    側面断熱材
５４ａ，５４ｂ    防湿材
６１    底面断熱材
６２    天面断熱材
６３    背面断熱材
６３ａ，６３ｂ    防湿材
６４    側面断熱材
６４ａ，６４ｂ    防湿材
７１    底面断熱材
７１ｃ，７１ｄ    防湿材
７２    天面断熱材
７２ｃ，７２ｄ    防湿材
７３    背面断熱材
７３ｃ，７３ｄ    防湿材
７４    側面断熱材
７４ｃ    防湿材
【図１】
2005085035.tif 000003
【図２】
2005085035.tif 000004
【図３】
2005085035.tif 000005
【図４】
2005085035.tif 000006
【図５】
2005085035.tif 000007
【図６】
2005085035.tif 000008
【図７】
2005085035.tif 000009
【図８】
2005085035.tif 000010
【図９】
2005085035.tif 000011
【図１０】
2005085035.tif 000012
【図１１】
2005085035.tif 000013
【図１２】
2005085035.tif 000014
【図１３】
2005085035.tif 000015
【図１４】
2005085035.tif 000016
【図１５】
2005085035.tif 000017